(57)【要約】【課題】４種類以上の色成分光を利用する場合であっても、ホワイトバランスを容易に維持することを可能とする投写型映像表示装置及び照明装置を提供する。【解決手段】投写型映像表示装置１００は、白色の色成分光を発する白色光源１０Ａと、赤成分光Ｒと緑成分光Ｇと青成分光Ｂ１と黄成分光Ｙｅとに、白色光源１０Ａが発する色成分光を分離する色分離手段と、黄成分光Ｙｅの補色光である青成分光Ｂ２を発する固体光源１０Ｂと、色分離手段によって分離された色成分光と固体光源１０Ｂが発する青成分光Ｂ２とを合成する色合成手段とを備える。【選択図】図３
2008185992.tif 000002
【特許請求の範囲】
【請求項１】
白色の色成分光を発する第１光源と、
赤の色成分光と緑の色成分光と青の色成分光と第４色の色成分光とに、前記第１光源が発する色成分光を分離する色分離手段と、
前記第４色に対する補色の色成分光を発する第２光源と、
前記色分離手段によって分離された色成分光と、前記第２光源が発する色成分光とを合成する色合成手段とを備えることを特徴とする投写型映像表示装置。
【請求項２】
前記色合成手段は、
前記赤の色成分光と前記緑の色成分光と前記青の色成分光とを合成する第１合成素子と、
前記第４色の色成分光と前記補色の色成分光とを合成する第２合成素子とを含むことを特徴とする請求項１に記載の投写型映像表示装置。
【請求項３】
前記赤の色成分光を変調する赤色変調素子と、
前記緑の色成分光を変調する緑色変調素子と、
前記青の色成分光を変調する青色変調素子と、
前記第２合成素子によって合成された色成分光を変調する合成色変調素子とをさらに備えることを特徴とする請求項２に記載の投写型映像表示装置。
【請求項４】
前記第２合成素子によって合成された色成分光を投写する第１投写レンズユニットと、
前記第１合成素子によって合成された色成分光を投写する第２投写レンズユニットとをさらに備えることを特徴とする請求項２に記載の投写型映像表示装置。
【請求項５】
色成分光の偏光方向を一の偏光方向又は他の偏光方向に選択的に調整する偏光方向調整手段と、
前記色合成手段によって合成された色成分光を投写する単数の投写レンズユニットとをさらに備え、
前記色合成手段は、前記一の偏光方向を有する色成分光を透過するとともに、前記他の偏光方向を有する色成分光を反射する合成面を有する色合成素子を含み、
前記偏光方向調整手段は、前記合成面を透過すべき色成分光を前記一の偏光方向に調整し、前記合成面で反射すべき色成分光を前記他の偏光方向に調整することを特徴とする請求項１に記載の投写型映像表示装置。
【請求項６】
前記第１光源は、水銀を含む光源であり、
前記第４色の色成分光は、黄の色成分光であり、
前記第２光源は、青の色成分光を発することを特徴とする請求項１に記載の投写型映像表示装置。
【請求項７】
白色の色成分光を発する第１光源と、
赤の色成分光と緑の色成分光と青の色成分光と第４色の色成分光とに、前記第１光源が発する色成分光を分離する色分離手段と、
前記第４色に対する補色の色成分光を発する第２光源と、
前記色分離手段によって分離された色成分光と、前記第２光源が発する色成分光とを合成する色合成手段とを備えることを特徴とする照明装置。
【発明の詳細な説明】
【技術分野】
【０００１】
本発明は、４種類以上の色成分光を利用する投写型映像表示装置及び照明装置に関する。
【背景技術】
【０００２】
従来、３種類の色成分光に対応する３つの光変調素子と、３つの光変調素子から出射される色成分光を合成するクロスダイクロイックキューブと、クロスダイクロイックキューブで合成された色成分光を投写する投写レンズとを有する投写型映像表示装置が知られている。
【０００３】
ここで、ＵＨＰランプなどの白色光源を有する投写型映像表示装置では、白色光源が発する色成分光は、ダイクロイックミラーなどによって、赤色成分光、緑色成分光及び青色成分光に分離される。しかしながら、このような投写型映像表示装置では、赤色成分光、緑色成分光及び青色成分光以外の色成分光（例えば、黄色成分光）が有効に利用されない。
【０００４】
これに対して、色再現性や輝度の向上を目的として、４種類以上の色成分光を利用する投写型映像表示装置が提案されている。例えば、投写型映像表示装置は、赤、緑及び青の３種類に加えて、オレンジ、黄又はシアンを利用することによって、色再現性や輝度の向上を図っている（例えば、特許文献１）。
【特許文献１】特開２００２−２８７２４７号公報（請求項１、請求項４、図１など）
【発明の開示】
【発明が解決しようとする課題】
【０００５】
ここで、４種類以上の色成分光を利用する投写型映像表示装置では、黄色成分光などの第４色成分光の影響で、赤色成分光、緑色成分光及び青色成分光によって実現されていたホワイトバランスが崩れて、４種類の色成分光で実現されるホワイトバランスが崩れる。
【０００６】
一方で、各色成分光に対応する光変調素子の変調量を調整することによって、ホワイトバランスを維持することも考えられるが、変調量の制御が煩雑になってしまう。
【０００７】
そこで、本発明は、上述した課題を解決するためになされたものであり、４種類以上の色成分光を利用する場合であっても、ホワイトバランスを容易に維持することを可能とする投写型映像表示装置及び照明装置を提供することを目的とする。
【課題を解決するための手段】
【０００８】
本発明の一の特徴では、投写型映像表示装置は、白色の色成分光を発する第１光源（白色光源１０Ａ）と、赤の色成分光と緑の色成分光と青の色成分光と第４色の色成分光とに、前記第１光源が発する色成分光を分離する色分離手段（例えば、ダイクロイックミラー６１〜ダイクロイックミラー６３）と、前記第４色に対する補色の色成分光を発する第２光源（固体光源１０Ｂ）と、前記色分離手段によって分離された色成分光と、前記第２光源が発する色成分光とを合成する色合成手段（例えば、クロスダイクロイックキューブ２０Ａ、ＰＢＳキューブ２０Ｂ及びダイクロイックミラー４０）とを備える。
【０００９】
かかる特徴によれば、第１光源が発する色成分光は、赤の色成分光と緑の色成分光と青の色成分光と第４色の色成分光とに分離される。また、第４色に対する補色の色成分光を発する第２光源が設けられている。これに加えて、色合成手段は、色分離手段によって分離された色成分光と第２光源が発する色成分光とを合成する。
【００１０】
従って、輝度向上などのために第４色の色成分光を利用する場合であっても、第４色の色成分光によってホワイトバランスが崩れてしまうことを抑制することができる。また、各色成分光を変調する光変調素子の変調量を調整する必要もないため、ホワイトバランスを容易に維持することが可能である。
【００１１】
本発明の一の特徴では、上述した特徴において、前記色合成手段は、前記赤の色成分光と前記緑の色成分光と前記青の色成分光とを合成する第１合成素子（例えば、クロスダイクロイックキューブ２０Ａ）と、前記第４色の色成分光と前記補色の色成分光とを合成する第２合成素子（例えば、ダイクロイックミラー４０）とを含む。
【００１２】
本発明の一の特徴では、上述した特徴において、投写型映像表示装置は、前記赤の色成分光を変調する赤色変調素子と、前記緑の色成分光を変調する緑色変調素子と、前記青の色成分光を変調する青色変調素子と、前記第２合成素子によって合成された色成分光を変調する合成色変調素子とをさらに備える。
【００１３】
本発明の一の特徴では、上述した特徴において、投写型映像表示装置は、前記第２合成素子によって合成された色成分光を投写する第１投写レンズユニットと、前記第１合成素子によって合成された色成分光を投写する第２投写レンズユニットとをさらに備える。
【００１４】
本発明の一の特徴では、上述した特徴において、投写型映像表示装置は、色成分光の偏光方向を一の偏光方向又は他の偏光方向に選択的に調整する偏光方向調整手段（偏光方向調整手段２８）と、前記色合成手段によって合成された色成分光を投写する単数の投写レンズユニットとをさらに備え、前記色合成手段は、前記一の偏光方向を有する色成分光を透過するとともに、前記他の偏光方向を有する色成分光を反射する合成面を有する色合成素子（例えば、ＰＢＳキューブ２０Ｂ）を含み、前記偏光方向調整手段は、前記合成面を透過すべき色成分光を前記一の偏光方向に調整し、前記合成面を反射すべき色成分光を前記他の偏光方向に調整する。
【００１５】
本発明の一の特徴では、上述した特徴において、前記第１光源は、水銀を含む光源であり、前記第４色の色成分光は、黄の色成分光であり、前記第２光源は、青の色成分光を発する。
【００１６】
本発明の一の特徴では、照明装置は、白色の色成分光を発する第１光源と、赤の色成分光と緑の色成分光と青の色成分光と第４色の色成分光とに、前記第１光源が発する色成分光を分離する色分離手段と、前記第４色に対する補色の色成分光を発する第２光源と、前記色分離手段によって分離された色成分光と、前記第２光源が発する色成分光とを合成する色合成手段とを備える。
【発明の効果】
【００１７】
本発明によれば、４種類以上の色成分光を利用する場合であっても、ホワイトバランスを容易に維持することを可能とする投写型映像表示装置及び照明装置を提供することができる。
【発明を実施するための最良の形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。
【００２１】
図１に示すように、投写型映像表示装置１００は、投写レンズユニット１１０を有しており、投写レンズユニット１１０によって拡大された映像光をスクリーン２００上に投写する。投写型映像表示装置１００は、後述するように、赤成分光Ｒ、緑成分光Ｇ及び青成分光Ｂ（以下、青成分光Ｂ１）に加えて、黄成分光Ｙｅを利用する。また、投写型映像表示装置１００は、黄成分光Ｙｅの補色光である青成分光Ｂ（以下、青成分光Ｂ２）を利用する。
【００２２】
（色再現範囲の概略）
以下において、第１実施形態に係る色再現範囲の概略について、図面を参照しながら説明する。図２は、第１実施形態に係る色再現範囲の概略を示す図である。
【００２３】
図２に示すように、投写型映像表示装置１００では、赤成分光Ｒ、緑成分光Ｇ、青成分光Ｂ及び黄成分光Ｙｅによって色再現範囲が定められる。
【００２４】
ここで、投写型映像表示装置１００では、白色光源（後述する白色光源１０Ａ）が発する光が、赤成分光Ｒ、緑成分光Ｇ、青成分光Ｂ１及び黄成分光Ｙｅに分離される。また、投写型映像表示装置１００は、赤成分光Ｒ、緑成分光Ｇ及び青成分光Ｂ１によって白色（Ｗ；ホワイトポイント）が再現されるように構成されている。
【００２５】
従って、輝度向上を図るために黄成分光Ｙｅが利用される場合において、赤成分光Ｒ、緑成分光Ｇ、青成分光Ｂ１及び黄成分光Ｙｅによって白色（Ｗ；ホワイトポイント）を再現しようとすると、黄成分光Ｙｅの影響によって再現色が白色（Ｗ；ホワイトポイント）からずれて、色温度が低くなってしまう。
【００２６】
第１実施形態では、このような前提を踏まえて、赤成分光Ｒ、緑成分光Ｇ、青成分光Ｂ１及び黄成分光Ｙｅに加えて、黄成分光Ｙｅの補色光である青成分光Ｂ２が用いられる。
【００２７】
（照明装置の構成）
以下において、第１実施形態に係る照明装置の概略構成について、図面を参照しながら説明する。図３は、第１実施形態に係る照明装置３００の概略構成を示す図である。
【００２８】
図３では、白色光源１０Ａが発する光を均質化するフライアイレンズ、白色光源１０Ａが発する光の偏光方向を揃えるＰＢＳ（Ｐｏｌａｒｉｚｅｄ  Ｂｅａｍ  Ｓｐｌｉｔｔｅｒ）などが省略されていることに留意すべきである。また、照明装置３００は、上述した投写レンズユニット１１０を構成として含まないことに留意すべきである。
【００２９】
図３に示すように、照明装置３００は、白色光源１０Ａと、固体光源１０Ｂと、クロスダイクロイックキューブ２０Ａと、ＰＢＳキューブ２０Ｂと、複数の液晶パネル３０（液晶パネル３０Ｒ、液晶パネル３０Ｇ、液晶パネル３０Ｂ及び液晶パネル３０Ｘ）と、ダイクロイックミラー４０とを有する。
【００３０】
白色光源１０Ａは、白色光を発するＵＨＰランプなどである。すなわち、白色光源１０Ａが発する光は、赤成分光Ｒ、緑成分光Ｇ、青成分光Ｂ１及び黄成分光Ｙｅを少なくとも含む。
【００３１】
固体光源１０Ｂは、黄成分光Ｙｅの補色光である青成分光Ｂ２を発するＬＥＤやレーザ素子などである。
【００３２】
クロスダイクロイックキューブ２０Ａは、ダイクロイック面２１Ａ及びダイクロイック面２２Ａによって、赤成分光Ｒ、緑成分光Ｇ及び青成分光Ｂ１を合成する。
【００３３】
第１実施形態では、ダイクロイック面２１Ａは、赤成分光Ｒを反射して、緑成分光Ｇ及び青成分光Ｂ１を透過する。一方で、ダイクロイック面２２Ａは、青成分光Ｂ１を反射して、赤成分光Ｒ及び緑成分光Ｇを透過する。また、クロスダイクロイックキューブ２０Ａに入射する赤成分光Ｒ、緑成分光Ｇ及び青成分光Ｂ１の偏光方向は、それぞれ、Ｓ偏光、Ｐ偏光及びＳ偏光に調整されている。従って、クロスダイクロイックキューブ２０Ａから出射する赤成分光Ｒ、緑成分光Ｇ及び青成分光Ｂ１は、それぞれ、Ｓ偏光、Ｐ偏光及びＳ偏光である。
【００３４】
ＰＢＳキューブ２０Ｂは、ＰＢＳ面２１Ｂによって、クロスダイクロイックキューブ２０Ａから出射された合成光と、後述するダイクロイックミラー４０から出射された合成光とを合成する。
【００３５】
第１実施形態では、ＰＢＳ面２１Ｂは、Ｓ偏光の色成分光を反射して、Ｐ偏光の色成分光を透過する。
【００３６】
ここで、クロスダイクロイックキューブ２０Ａから出射された合成光及びダイクロイックミラー４０で合成された合成光は、同色の色成分光（青成分光Ｂ１及び青成分光Ｂ２）を含むため、ダイクロイックキューブよりもＰＢＳキューブ２０Ｂを用いることが好ましい。
【００３７】
これに伴って、偏光方向調整手段２８（位相差板又は狭帯域位相差板）は、クロスダイクロイックキューブ２０Ａから出射された合成光（赤成分光Ｒ、緑成分光Ｇ及び青成分光Ｂ１）の偏光方向を選択的にＰ偏光に調整する。具体的には、上述したように、クロスダイクロイックキューブ２０Ａから出射する赤成分光Ｒ、緑成分光Ｇ及び青成分光Ｂ１がＳ偏光、Ｐ偏光及びＳ偏光である場合には、偏光方向調整手段２８は、緑成分光Ｇの偏光方向を回転させずに、赤成分光Ｒ及び青成分光Ｂ１の偏光方向を９０°回転させる狭帯域位相差板である。
【００３８】
一方で、ダイクロイックミラー４０で合成された合成光（黄成分光Ｙｅ及び青成分光Ｂ２）の偏光方向は、偏光方向を選択的に調整する偏光方向調整手段（位相差板又は狭帯域位相差板）などによってＳ偏光に調整されている。なお、黄成分光Ｙｅ及び青成分光Ｂ２の偏光方向が予めＳ偏光に調整されている場合には、偏光方向調整手段が不要であることは勿論である。
【００３９】
液晶パネル３０Ｒは、赤成分光Ｒを変調する。同様に、液晶パネル３０Ｇは緑成分光Ｇを変調し、液晶パネル３０Ｂは青成分光Ｂを変調する。また、液晶パネル３０Ｘは、ダイクロイックミラー４０で合成された合成光（黄成分光Ｙｅ及び青成分光Ｂ２）を変調する。
【００４０】
ダイクロイックミラー４０は、黄成分光Ｙｅ及び青成分光Ｂ２を合成する。第１実施形態では、ダイクロイックミラー４０は、黄成分光Ｙｅを反射して、青成分光Ｂ２を透過する。
【００４１】
また、照明装置３００は、複数のレンズ５０（レンズ５０Ｒ、レンズ５０Ｇ、レンズ５０Ｂ及びレンズ５０Ｘ）と、複数のダイクロイックミラー（ダイクロイックミラー６１、ダイクロイックミラー６２及びダイクロイックミラー６３）と、複数の反射ミラー（反射ミラー７１、反射ミラー７２及び反射ミラー７３）と、導光部材８１とを有する。
【００４２】
レンズ５０Ｒは、液晶パネル３０Ｒから出射された光が投写レンズユニット１１０に照射されるように、赤成分光Ｒを集光するレンズである。同様に、レンズ５０Ｇ及びレンズ５０Ｂは、液晶パネル３０Ｇ及び液晶パネル３０Ｂから出射された光が投写レンズユニット１１０に照射されるように、緑成分光Ｇ及び青成分光Ｂ１を集光するレンズである。さらに、レンズ５０Ｘは、液晶パネル３０Ｘから出射された光が投写レンズユニット１１０に照射されるように、合成光（黄成分光Ｙｅ及び青成分光Ｂ２）を集光するレンズである。
【００４３】
ダイクロイックミラー６１、ダイクロイックミラー６２及びダイクロイックミラー６３は、白色光源１０Ａから出射された光を分離する色分離手段である。
【００４４】
第１実施形態では、ダイクロイックミラー６１は、青成分光Ｂ１を反射して、赤成分光Ｒ、緑成分光Ｇ及び黄成分光Ｙｅを透過する。ダイクロイックミラー６２は、緑成分光Ｇを反射して、赤成分光Ｒ及び黄成分光Ｙｅを透過する。ダイクロイックミラー６３は、赤成分光Ｒを反射して、黄成分光Ｙｅを透過する。
【００４５】
反射ミラー７１、反射ミラー７２及び反射ミラー７３は、色分離手段によって分離された色成分光を反射して、各色成分光を色合成手段（クロスダイクロイックキューブ２０Ａ又はＰＢＳキューブ２０Ｂ）側に導く。
【００４６】
第１実施形態では、反射ミラー７１は、青成分光Ｂ１を反射して、青成分光Ｂ１をクロスダイクロイックキューブ２０Ａ側に導く。反射ミラー７２は、赤成分光Ｒを反射して、赤成分光Ｒをクロスダイクロイックキューブ２０Ａ側に導く。反射ミラー７３は、黄成分光Ｙｅ及び青成分光Ｂ２を反射して、黄成分光Ｙｅ及び青成分光Ｂ２をＰＢＳキューブ２０Ｂ側に導く。
【００４７】
導光部材８１は、液晶パネル３０Ｘから出射された合成光をＰＢＳキューブ２０Ｂ側に導く柱状の光学部材である。導光部材８１は、液晶パネル３０Ｒ（液晶パネル３０Ｇ又は液晶パネル３０Ｂ）から投写レンズユニット１１０までの光学距離と、液晶パネル３０Ｘから投写レンズユニット１１０までの光学距離とを調整する。
【００４８】
第１実施形態では、ダイクロイックミラー４０、クロスダイクロイックキューブ２０Ａ及びＰＢＳキューブ２０Ｂは、色分離手段（ダイクロイックミラー６１〜ダイクロイックミラー６３）によって分離された色成分光（赤成分光Ｒ、緑成分光Ｇ、青成分光Ｂ１及び黄成分光Ｙｅ）と、第２光源（固体光源１０Ｂ）が発する補色の色成分光（青成分光Ｂ２）とを合成する色合成手段を構成する。
【００４９】
具体的には、第１実施形態では、クロスダイクロイックキューブ２０Ａは、赤成分光Ｒと緑成分光Ｇと青成分光Ｂ１とを合成する第１合成素子を構成する。ダイクロイックミラー４０は、第４色の色成分光（黄成分光Ｙｅ）と、補色の色成分光（青成分光Ｂ２）とを合成する第２合成素子を構成する。ＰＢＳキューブ２０Ｂは、一の偏光方向（Ｐ偏光方向）を有する色成分光（赤成分光Ｒ、緑成分光Ｇ及び青成分光Ｂ１）と、他の偏光方向（Ｓ偏光方向）を有する色成分光（黄成分光Ｙｅ及び青成分光Ｂ２）とを合成する色合成素子を構成する。
【００５０】
（作用及び効果）
第１実施形態に係る投写型映像表示装置１００（照明装置３００）によれば、白色光源１０Ａが水銀を含む光源であり、固体光源１０Ｂが青成分光Ｂ２を発する光源である。ここで、水銀を含む光源としてＵＨＰランプなどが投写型映像表示装置１００で一般的に用いられる。このような水銀を含む光源は、黄成分光Ｙｅを多く発する特性を有しているため、輝度向上のために黄成分光Ｙｅを利用することが効果的である。
【００５１】
このような状況下において、第１実施形態では、白色光源１０Ａが発する白色光は、赤成分光Ｒと緑成分光Ｇと青成分光Ｂ１と黄成分光Ｙｅとに分離される。また、黄成分光Ｙｅに対する補色光である青成分光Ｂ２を発する固体光源１０Ｂが設けられている。これに加えて、色合成手段（ダイクロイックミラー４０、クロスダイクロイックキューブ２０Ａ及びＰＢＳキューブ２０Ｂ）は、色分離手段によって分離された色成分光と白色光源１０Ａが発する色成分光とを合成する。
【００５２】
従って、輝度向上などのために第４色の色成分光（黄成分光Ｙｅ）を利用する場合であっても、第４色の色成分光によってホワイトバランスが崩れてしまうこと（第１実施形態では、白色の色温度が低下すること）を抑制することができる。また、ホワイトバランスが崩れることを抑制するために各色成分光を変調する光変調素子から出射される光の光量を減少させる必要もないため、白色光源１０Ａから出射される光を有効に利用することができる。
【００５３】
第１実施形態に係る投写型映像表示装置１００（照明装置３００）によれば、液晶パネル３０Ｘは、黄成分光Ｙｅ及び青成分光Ｂ２を含む合成光を変調する。すなわち、黄成分光Ｙｅ及び青成分光Ｂ２が同じ変調量で変調されるため、ホワイトバランスを効率的かつ容易に維持することができる。
【００５４】
第１実施形態に係る投写型映像表示装置１００（照明装置３００）によれば、ＰＢＳキューブ２０Ｂに入射する各色成分光は、Ｐ偏光方向を有する色成分光（赤成分光Ｒ、緑成分光Ｇ及び青成分光Ｂ１）と、Ｓ偏光方向を有する色成分光（黄成分光Ｙｅ及び青成分光Ｂ２）とである。ＰＢＳキューブ２０Ｂは、Ｐ偏光方向を有する色成分光とＳ偏光方向を有する色成分光とを合成する。
【００５５】
従って、ＰＢＳキューブ２０Ｂが合成する２つの色成分光が、同波長帯又は隣接波長帯を有する色成分光を含む場合であっても、スクリーン２００上に投写される映像光（ＰＢＳキューブ２０Ｂから出射される合成光）の光量を低下させずに、各色成分光を合成することができる。
【００５６】
［第２実施形態］
以下において、第２実施形態について図面を参照しながら説明する。以下においては、上述した第１実施形態と第２実施形態との相違点について主として説明する。
【００５７】
具体的には、上述した第１実施形態では、単数の投写レンズユニット１１０が用いられているが、第２実施形態では、複数の投写レンズユニット１１０が用いられる。
【００５８】
（照明装置の構成）
以下において、第２実施形態に係る照明装置の概略構成について、図面を参照しながら説明する。図４は、第２実施形態に係る照明装置３００の概略構成を示す図である。
【００５９】
図４に示すように、照明装置３００は、複数の投写レンズユニット１１０（投写レンズユニット１１０Ａ及び投写レンズユニット１１０Ｂ）を有する。これに伴って、４種類以上の色成分光を合成する必要がなくなるため、ＰＢＳキューブ２０Ｂが不要となることに留意すべきである。
【００６０】
また、ＰＢＳキューブ２０Ｂが不要となるため、各色成分光の偏光方向を調整する必要性が軽減される。但し、スクリーン２００の種類に応じて、投写レンズユニット１１０Ａ及び投写レンズユニット１１０Ｂに入射する色成分光の偏光方向は調整されていることが好ましい。例えば、スクリーン２００が透過型である場合には、色成分光の偏光方向はＰ偏光に調整されていることが好ましい。一方で、スクリーン２００が反射型である場合には、色成分光の偏光方向はＳ偏光に調整されていることが好ましい。
【００６１】
第２実施形態では、投写レンズユニット１１０Ａ（第１投写レンズユニット）は、クロスダイクロイックキューブ２０Ａから出射される合成光（赤成分光Ｒ、緑成分光Ｇ及び青成分光Ｂ１）をスクリーン２００に投写する。一方で、投写レンズユニット１１０Ｂ（第２投写レンズユニット）は、液晶パネル３０Ｘから出射される合成光（黄成分光Ｙｅ及び青成分光Ｂ２）をスクリーン２００に投写する。
【００６２】
第２実施形態では、ダイクロイックミラー４０及びクロスダイクロイックキューブ２０Ａは、色分離手段（ダイクロイックミラー６１〜ダイクロイックミラー６３）によって分離された色成分光（赤成分光Ｒ、緑成分光Ｇ、青成分光Ｂ１及び黄成分光Ｙｅ）と、第２光源（固体光源１０Ｂ）が発する補色の色成分光（青成分光Ｂ２）とを合成する色合成手段を構成する。
【００６３】
具体的には、第２実施形態では、クロスダイクロイックキューブ２０Ａは、赤成分光Ｒと緑成分光Ｇと青成分光Ｂ１とを合成する第１合成素子を構成する。ダイクロイックミラー４０は、第４色の色成分光（黄成分光Ｙｅ）と、補色の色成分光（青成分光Ｂ２）とを合成する第２合成素子を構成する。
【００６４】
（作用及び効果）
第２実施形態に係る投写型映像表示装置１００（照明装置３００）によれば、クロスダイクロイックキューブ２０Ａで合成された合成光を投写する投写レンズユニット１１０Ａが設けられており、ダイクロイックミラー４０で合成された合成光を投写する投写レンズユニット１１０Ｂが設けられている。
【００６５】
従って、単数の色合成部が合成する色成分光が３種類以下となるため、各液晶パネル３０から投写レンズユニット１１０（投写レンズユニット１１０Ａ及び投写レンズユニット１１０Ｂ）までの距離を、３種類の色成分光を利用する投写型映像表示装置と同様にすることができる。すなわち、投写レンズユニット１１０のバックフォーカスを長くする必要がないため、３種類の色成分光を利用する投写型映像表示装置で用いられる投写レンズを流用することができる。この結果、４種類以上の色成分光を利用する投写型映像表示装置１００のコスト上昇を全体として抑制することができる。
【００６６】
なお、ホワイトバランスが崩れること（ここでは、白色の色温度の低下）を抑制するという第１実施形態と同様の効果を得ることができることは勿論である。
【００６７】
［第３実施形態］
以下において、第３実施形態について図面を参照しながら説明する。以下においては、上述した第１実施形態と第３実施形態との相違点について主として説明する。
【００６８】
具体的には、上述した第１実施形態では、固体光源１０Ｂが発する青成分光Ｂ２は黄成分光Ｙｅと合成されるが、第３実施形態では、固体光源１０Ｂが発する青成分光Ｂ２は青成分光Ｂ１と合成される。
【００６９】
（照明装置の構成）
以下において、第３実施形態に係る照明装置の概略構成について、図面を参照しながら説明する。図５は、第３実施形態に係る照明装置３００の概略構成を示す図である。
【００７０】
図５に示すように、照明装置３００は、ダイクロイックミラー４０に代えて、バンドパスダイクロイックミラー１４０を有する。また、照明装置３００は、液晶パネル３０Ｘに代えて、黄成分光Ｙｅを変調する液晶パネル３０Ｙｅを有する。
【００７１】
バンドパスダイクロイックミラー１４０は、白色光源１０Ａが発する光から分離された青成分光Ｂ１及び固体光源１０Ｂが発する青成分光Ｂ２を合成する。具体的には、バンドパスダイクロイックミラー１４０は、図６に示すように、固体光源１０Ｂが発する青成分光Ｂ２のみを透過し、他の色成分光を反射する。
【００７２】
なお、第３実施形態では、所定帯域幅においては、固体光源１０Ｂが発する青成分光Ｂ２の光量が、白色光源１０Ａが発する光から分離された青成分光Ｂ１の光量よりも多いことを前提としていることに留意すべきである。
【００７３】
このように、所定帯域幅においては、固体光源１０Ｂが発する青成分光Ｂ２を用いて、他の帯域においては、白色光源１０Ａが発する光から分離された青成分光Ｂ１を用いるため、バンドパスダイクロイックミラー１４０によって合成された合成光（青成分光Ｂ１及び青成分光Ｂ２）の光量は、青成分光Ｂ１のみの光量よりも高い。
【００７４】
ここで、液晶パネル３０Ｙｅから出射された黄成分光Ｙｅの波長帯は、クロスダイクロイックキューブ２０Ａから出射された緑成分光Ｇの波長帯と赤成分光Ｒの波長帯との間に挟まれる。従って、ＰＢＳキューブ２０Ｂが用いられることに留意すべきである。
【００７５】
第３実施形態では、クロスダイクロイックキューブ２０Ａに入射する赤成分光Ｒ、緑成分光Ｇ、青成分光Ｂ１及び青成分光Ｂ２の偏光方向は、それぞれ、Ｓ偏光、Ｐ偏光、Ｓ偏光及びＳ偏光に調整されている。従って、クロスダイクロイックキューブ２０Ａから出射する赤成分光Ｒ、緑成分光Ｇ、青成分光Ｂ１及び青成分光Ｂ２の偏光方向は、それぞれ、Ｓ偏光、Ｐ偏光、Ｓ偏光及びＳ偏光である。
【００７６】
これに伴って、偏光方向調整手段２８（位相差板又は狭帯域位相差板）は、クロスダイクロイックキューブ２０Ａから出射された合成光（赤成分光Ｒ、緑成分光Ｇ、青成分光Ｂ１及び青成分光Ｂ２）の偏光方向を選択的にＰ偏光に調整する。具体的には、上述したように、クロスダイクロイックキューブ２０Ａから出射する赤成分光Ｒ、緑成分光Ｇ、青成分光Ｂ１及び青成分光Ｂ２がＳ偏光、Ｐ偏光、Ｓ偏光及びＳ偏光である場合には、偏光方向調整手段２８は、緑成分光Ｇの偏光方向を回転させずに、赤成分光Ｒ、青成分光Ｂ１及び青成分光Ｂ２の偏光方向を９０°回転させる狭帯域位相差板である。
【００７７】
一方で、液晶パネル３０Ｙｅから出射された黄成分光Ｙｅの偏光方向は、偏光方向を調整する偏光方向調整手段（位相差板）などによってＳ偏光に調整されている。なお、黄成分光Ｙｅの偏光方向が予めＳ偏光に調整されている場合には、偏光方向調整手段が不要であることは勿論である。
【００７８】
また、照明装置３００は、反射ミラー７１〜反射ミラー７３に代えて、反射ミラー１７１、反射ミラー１７２及び反射ミラー１７３を有する。
【００７９】
反射ミラー１７１、反射ミラー１７２及び反射ミラー１７３は、色分離手段によって分離された色成分光を反射して、各色成分光を色合成手段側に導く。第３実施形態では、反射ミラー１７１及び反射ミラー１７２は、黄成分光Ｙｅを反射して、黄成分光ＹｅをＰＢＳキューブ２０Ｂ側に導く。反射ミラー１７３は、赤成分光Ｒを反射して、赤成分光Ｒをクロスダイクロイックキューブ２０Ａ側に導く。
【００８０】
第３実施形態では、バンドパスダイクロイックミラー１４０、クロスダイクロイックキューブ２０Ａ及びＰＢＳキューブ２０Ｂは、色分離手段（ダイクロイックミラー６１〜ダイクロイックミラー６３）によって分離された色成分光（赤成分光Ｒ、緑成分光Ｇ、青成分光Ｂ１及び黄成分光Ｙｅ）と、第２光源（固体光源１０Ｂ）が発する補色の色成分光（青成分光Ｂ２）とを合成する色合成手段を構成する。
【００８１】
具体的には、ＰＢＳキューブ２０Ｂは、一の偏光方向（Ｐ偏光方向）を有する色成分光（赤成分光Ｒ、緑成分光Ｇ、青成分光Ｂ１及び青成分光Ｂ２）と、他の偏光方向（Ｓ偏光方向）を有する色成分光（黄成分光Ｙｅ）とを合成する色合成素子を構成する。
【００８２】
（作用及び効果）
第３実施形態に係る投写型映像表示装置１００（照明装置３００）によれば、白色光源１０Ａが発する白色光は、赤成分光Ｒと緑成分光Ｇと青成分光Ｂ１と黄成分光Ｙｅとに分離される。また、黄成分光Ｙｅに対する補色光である青成分光Ｂ２を発する固体光源１０Ｂが設けられている。これに加えて、色合成手段（バンドパスダイクロイックミラー１４０、クロスダイクロイックキューブ２０Ａ及びＰＢＳキューブ２０Ｂ）は、色分離手段によって分離された色成分光と白色光源１０Ａが発する色成分光とを合成する。
【００８３】
すなわち、第１実施形態と異なる構成において、輝度向上などのために第４色の色成分光（黄成分光Ｙｅ）を利用する場合であっても、第４色の色成分光によってホワイトバランスが崩れること（ここでは、白色の色温度が低下すること）を抑制することができる。また、各色成分光を変調する光変調素子の変調量を調整する必要もないため、ホワイトバランスを容易に維持することができる。
【００８４】
第３実施形態に係る投写型映像表示装置１００（照明装置３００）によれば、ＰＢＳキューブ２０Ｂに入射する各色成分光は、Ｐ偏光方向を有する色成分光（赤成分光Ｒ、緑成分光Ｇ、青成分光Ｂ１及び青成分光Ｂ２）と、Ｓ偏光方向を有する色成分光（黄成分光Ｙｅ）とである。ＰＢＳキューブ２０Ｂは、Ｐ偏光方向を有する色成分光とＳ偏光方向を有する色成分光とを合成する。
【００８５】
すなわち、第１実施形態と異なる構成において、ＰＢＳキューブ２０Ｂが合成する２つの色成分光が、同波長帯又は隣接波長帯を有する色成分光を含む場合であっても、スクリーン２００上に投写される映像光（ＰＢＳキューブ２０Ｂから出射される合成光）の光量を低下させずに、各色成分光を合成することができる。
【００８６】
［第４実施形態］
以下において、第４実施形態について図面を参照しながら説明する。以下においては、上述した第１実施形態と第４実施形態との相違点について主として説明する。
【００８７】
具体的には、上述した第１実施形態では、３種類の色成分光を利用する投写型映像表示装置に比べて、各液晶パネル３０から投写レンズユニット１１０までの距離が長い。これに対して、第４実施形態では、各液晶パネル３０から投写レンズユニット１１０までの距離が、３種類の色成分光を利用する投写型映像表示装置と同等である。
【００８８】
第４実施形態では、これを実現するために、複数のレンズ群によって構成される中間結像ユニットが用いられる。
【００８９】
（照明装置の構成）
以下において、第４実施形態に係る照明装置の概略構成について、図面を参照しながら説明する。図７は、第４実施形態に係る照明装置３００の概略構成を示す図である。
【００９０】
図７に示すように、照明装置３００は、複数のレンズ群（レンズ９１〜レンズ９５）によって構成される中間結像ユニット９０を有する。また、照明装置３００は、クロスダイクロイックキューブ２０Ａ及びＰＢＳキューブ２０Ｂに代えて、ダイクロイックキューブ１２０Ａ及びクロスダイクロイックキューブ１２０Ｂを有する。
【００９１】
中間結像ユニット９０は、ダイクロイックキューブ１２０Ａとクロスダイクロイックキューブ１２０Ｂとの間において、ダイクロイックキューブ１２０Ａから出射された合成光の光路上に設けられている。中間結像ユニット９０は、ダイクロイックキューブ１２０Ａで合成される色成分光を変調する液晶パネル３０（液晶パネル３０Ｒ及び液晶パネル３０Ｘ）の像を位置３５に結像する。
【００９２】
ダイクロイックキューブ１２０Ａは、ダイクロイック面１２１Ａによって、液晶パネル３０Ｒから出射される赤成分光Ｒと、液晶パネル３０Ｘから出射される合成光（黄成分光Ｙｅ及び青成分光Ｂ２）とを合成する。具体的には、ダイクロイック面１２１Ａは、赤成分光Ｒを反射して、黄成分光Ｙｅ及び青成分光Ｂ２を透過する。
【００９３】
クロスダイクロイックキューブ１２０Ｂは、ＰＢＳ面１２１Ｂ及びダイクロイック面１２２Ｂによって、液晶パネル３０Ｇから出射された緑成分光Ｇと、液晶パネル３０Ｂから出射された青成分光Ｂ１と、ダイクロイックキューブ１２０Ａから出射された合成光（赤成分光Ｒ、黄成分光Ｙｅ及び青成分光Ｂ２）とを合成する。
【００９４】
ここで、クロスダイクロイックキューブ１２０Ｂに入射する緑成分光Ｇ及び青成分光Ｂ１の偏光方向は、偏光方向調整手段（位相差板や狭帯域位相差板）によってＰ偏光に調整されている。一方で、クロスダイクロイックキューブ１２０Ｂに入射する赤成分光Ｒ、黄成分光Ｙｅ及び青成分光Ｂ２の偏光方向は、偏光方向調整手段（位相差板や狭帯域位相差板）によってＳ偏光に調整されている。
【００９５】
ダイクロイック面１２２Ｂは、緑成分光Ｇ及び青成分光Ｂ１を反射して、赤成分光Ｒ及び黄成分光Ｙｅを透過するという波長依存性を有する。また、ダイクロイック面１２２Ｂは、Ｓ偏光の色成分光を透過しやすく、Ｐ偏光の色成分光を透過しにくいという偏光依存特性を有する。
【００９６】
従って、Ｐ偏光を有する青成分光Ｂ１は、ＰＢＳ面１２１Ｂを透過して、ダイクロイック面１２２Ｂで反射される。一方で、Ｓ偏光を有する青成分光Ｂ２は、ダイクロイック面１２２Ｂを透過して、ＰＢＳ面１２１Ｂで反射される。
【００９７】
また、照明装置３００は、ダイクロイックミラー６１〜ダイクロイックミラー６３に代えて、ダイクロイックミラー１６１〜ダイクロイックミラー１６３を有する。
【００９８】
ダイクロイックミラー１６１〜ダイクロイックミラー１６３は、ダイクロイックミラー６１〜ダイクロイックミラー６３と同様に、白色光源１０Ａから出射された光を分離する色分離手段である。
【００９９】
第４実施形態では、ダイクロイックミラー１６１は、赤成分光Ｒ及び黄成分光Ｙｅを反射して、緑成分光Ｇ及び青成分光Ｂ１を透過する。ダイクロイックミラー１６２は、黄成分光Ｙｅを反射して、赤成分光Ｒを透過する。ダイクロイックミラー１６３は、緑成分光Ｇを反射して、青成分光Ｂ１を透過する。
【０１００】
また、照明装置３００は、反射ミラー７１〜反射ミラー７３に代えて、反射ミラー２７１〜反射ミラー２７４を有する。
【０１０１】
反射ミラー２７１〜反射ミラー２７４は、反射ミラー７１〜反射ミラー７３と同様に、色分離手段によって分離された色成分光を反射して、各色成分光を色合成手段（ダイクロイックミラー４０又はクロスダイクロイックキューブ１２０Ｂ）側に導く。
【０１０２】
第４実施形態では、反射ミラー２７１は、青成分光Ｂ１を反射してクロスダイクロイックキューブ１２０Ｂ側に導く。反射ミラー２７２は、黄成分光Ｙｅを反射してダイクロイックミラー４０側に導く。反射ミラー２７３は、緑成分光Ｇを反射してクロスダイクロイックキューブ１２０Ｂ側に導く。反射ミラー２７４は、中間結像ユニット９０から出射された合成光（赤成分光Ｒ、黄成分光Ｙｅ及び青成分光Ｂ２）を反射してクロスダイクロイックキューブ１２０Ｂ側に導く。
【０１０３】
第４実施形態では、ダイクロイックミラー４０、ダイクロイックキューブ１２０Ａ及びクロスダイクロイックキューブ１２０Ｂは、色分離手段（ダイクロイックミラー１６１〜ダイクロイックミラー１６３）によって分離された色成分光（赤成分光Ｒ、緑成分光Ｇ、青成分光Ｂ１及び黄成分光Ｙｅ）と、第２光源（固体光源１０Ｂ）が発する補色の色成分光（青成分光Ｂ２）とを合成する色合成手段を構成する。
【０１０４】
具体的には、第４実施形態では、クロスダイクロイックキューブ１２０Ｂは、赤成分光Ｒと緑成分光Ｇと青成分光Ｂ１とを合成する第１合成素子を構成する。ダイクロイックミラー４０は、第４色の色成分光（黄成分光Ｙｅ）と、補色の色成分光（青成分光Ｂ２）とを合成する第２合成素子を構成する。クロスダイクロイックキューブ１２０Ｂは、一の偏光方向（Ｐ偏光方向）を有する色成分光（緑成分光Ｇ）と、他の偏光方向（Ｓ偏光方向）を有する色成分光（赤成分光Ｒ、黄成分光Ｙｅ及び青成分光Ｂ２）とを合成する色合成素子を構成する。
【０１０５】
（作用及び効果）
第４実施形態に係る投写型映像表示装置１００（照明装置３００）によれば、中間結像ユニット９０は、ダイクロイックキューブ１２０Ａで合成される色成分光を変調する光変調素子（液晶パネル３０Ｒ及び液晶パネル３０Ｘ）の像を、クロスダイクロイックキューブ１２０Ｂの入射面（位置３５）に略結像する。
【０１０６】
従って、ダイクロイックキューブ１２０Ａで合成される色成分光を変調する光変調素子（液晶パネル３０Ｒ及び液晶パネル３０Ｘ）から投写レンズユニット１１０までの距離を、クロスダイクロイックキューブ１２０Ｂで合成される色成分光を変調する光変調素子（液晶パネル３０Ｇ及び液晶パネル３０Ｂ）から投写レンズユニット１１０までの距離と擬似的に同じにすることができる。
【０１０７】
すなわち、投写レンズユニット１１０のバックフォーカスを長くする必要がないため、３種類の色成分光を利用する投写型映像表示装置で用いられる投写レンズを流用することができる。この結果、４種類以上の色成分光を利用する投写型映像表示装置１００のコスト上昇を全体として抑制することができる。
【０１０８】
なお、ホワイトバランスが崩れること（ここでは、白色の色温度の低下）を抑制するという第１実施形態と同様の効果を得ることができることは勿論である。
【０１０９】
［第５実施形態］
以下において、第５実施形態について図面を参照しながら説明する。以下においては、上述した第１実施形態と第５実施形態との相違点について主として説明する。
【０１１０】
具体的には、上述した第１実施形態では、青成分光Ｂ２及び黄成分光Ｙｅが合成された合成光は、液晶パネル３０Ｘによって変調された後において、他の液晶パネル３０に入射せずに、投写レンズユニット１１０に導かれる。
【０１１１】
これに対して、第５実施形態では、青成分光Ｂ２及び黄成分光Ｙｅが合成された合成光は、光変調素子によって変調された後において、他の液晶パネル３０に入射する。
【０１１２】
（照明装置の構成）
以下において、第５実施形態に係る照明装置の概略構成について、図面を参照しながら説明する。図８は、第５実施形態に係る照明装置３００の概略構成を示す図である。
【０１１３】
図８に示すように、照明装置３００は、クロスダイクロイックキューブ２０Ａ及びＰＢＳキューブ２０Ｂに代えて、ダイクロイックミラー２２０Ａ及びクロスダイクロイックキューブ２２０Ｂを有する。また、照明装置３００は、液晶パネル３０Ｘに代えて、光変調素子３１Ｘを有する。
【０１１４】
光変調素子３１Ｘは、青成分光Ｂ２及び黄成分光Ｙｅが合成された合成光を変調する。ここで、光変調素子３１Ｘの解像度は、他の液晶パネル３０（液晶パネル３０Ｒ、液晶パネル３０Ｇ及び液晶パネル３０Ｂ）の解像度よりも低くてもよい。光変調素子３１Ｘから出射された合成光は液晶パネル３０Ｒに入射する。
【０１１５】
ダイクロイックミラー２２０Ａは、光変調素子３１Ｘから出射された合成光（青成分光Ｂ２及び黄成分光Ｙｅ）と赤成分光Ｒとを合成する。具体的には、ダイクロイックミラー２２０Ａは、赤成分光Ｒを反射して、青成分光Ｂ２及び黄成分光Ｙｅを透過する。ダイクロイックミラー２２０Ａで合成された赤成分光Ｒ、黄成分光Ｙｅ及び青成分光Ｂ２は液晶パネル３０Ｒに入射する。
【０１１６】
ここで、液晶パネル３０Ｒは、黄成分光Ｙｅ及び青成分光Ｂ２を赤成分光Ｒとともに変調することに留意すべきである。
【０１１７】
クロスダイクロイックキューブ２２０Ｂは、ＰＢＳ面２２１Ｂ及びダイクロイック面２２２Ｂによって、液晶パネル３０Ｇから出射された緑成分光Ｇと、液晶パネル３０Ｂから出射された青成分光Ｂ１と、液晶パネル３０Ｒから出射された合成光（赤成分光Ｒ、黄成分光Ｙｅ及び青成分光Ｂ２）とを合成する。
【０１１８】
ここで、クロスダイクロイックキューブ２２０Ｂに入射する緑成分光Ｇ及び青成分光Ｂ１の偏光方向は、偏光方向調整手段（位相差板や狭帯域位相差板）によってＰ偏光に調整されている。一方で、クロスダイクロイックキューブ２２０Ｂに入射する赤成分光Ｒ、黄成分光Ｙｅ及び青成分光Ｂ２の偏光方向は、偏光方向調整手段（位相差板や狭帯域位相差板）によってＳ偏光に調整されている。
【０１１９】
ダイクロイック面２２２Ｂは、緑成分光Ｇ及び青成分光Ｂ１を反射して、赤成分光Ｒ及び黄成分光Ｙｅを透過するという波長依存性を有する。また、ダイクロイック面２２２Ｂは、Ｓ偏光の色成分光を透過しやすく、Ｐ偏光の色成分光を透過しにくいという偏光依存特性を有する。
【０１２０】
従って、Ｐ偏光を有する青成分光Ｂ１は、ＰＢＳ面２２１Ｂを透過して、ダイクロイック面２２２Ｂで反射される。一方で、Ｓ偏光を有する青成分光Ｂ２は、ダイクロイック面２２２Ｂを透過して、ＰＢＳ面２２１Ｂで反射される。
【０１２１】
第５実施形態では、ダイクロイックミラー４０、ダイクロイックミラー２２０Ａ及びクロスダイクロイックキューブ２２０Ｂは、色分離手段（ダイクロイックミラー６１〜ダイクロイックミラー６３）によって分離された色成分光（赤成分光Ｒ、緑成分光Ｇ、青成分光Ｂ１及び黄成分光Ｙｅ）と、第２光源（固体光源１０Ｂ）が発する補色の色成分光（青成分光Ｂ２）とを合成する色合成手段を構成する。
【０１２２】
具体的には、第５実施形態では、クロスダイクロイックキューブ２２０Ｂは、赤成分光Ｒと緑成分光Ｇと青成分光Ｂ１とを合成する第１合成素子を構成する。ダイクロイックミラー４０は、第４色の色成分光（黄成分光Ｙｅ）と、補色の色成分光（青成分光Ｂ２）とを合成する第２合成素子を構成する。クロスダイクロイックキューブ２２０Ｂは、一の偏光方向（Ｐ偏光方向）を有する色成分光（赤成分光Ｒ、緑成分光Ｇ及び青成分光Ｂ１）と、他の偏光方向（Ｓ偏光方向）を有する色成分光（黄成分光Ｙｅ及び青成分光Ｂ２）とを合成する色合成素子を構成する。
【０１２３】
（作用及び効果）
第５実施形態に係る投写型映像表示装置１００（照明装置３００）によれば、光変調素子３１Ｘから出射された色成分光（黄成分光Ｙｅ及び青成分光Ｂ２）は、赤成分光Ｒに重畳されてダイクロイックミラー２２０Ａに入射する。従って、４種類以上の色成分光を利用する場合であっても、ダイクロイックミラー２２０Ａに入射する色成分光は３種類である。
【０１２４】
すなわち、投写レンズユニット１１０のバックフォーカスを長くする必要がないため、３種類の色成分光を利用する投写型映像表示装置で用いられる投写レンズを流用することができる。この結果、４種類以上の色成分光を利用する投写型映像表示装置１００のコスト上昇を全体として抑制することができる。
【０１２５】
なお、ホワイトバランスが崩れること（ここでは、白色の色温度の低下）を抑制するという第１実施形態と同様の効果を得ることができることは勿論である。
【０１２６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２７】
例えば、上述した実施形態では、第４色の色成分光として黄成分光Ｙｅを用いるとともに、第４色に対する補色の色成分光として青成分光Ｂ２を用いているが、これに限定されるものではない。具体的には、第４色の色成分光としてシアン成分光を用いて、第４色に対する補色の色成分光として赤成分光Ｒを用いてもよい。同様に、第４色の色成分光としてマゼンタ成分光を用いて、第４色に対する補色の色成分光として緑成分光Ｇを用いてもよい。
【図面の簡単な説明】
【０１２８】
【図１】第１実施形態に係る投写型映像表示装置１００の概略を示す図である。
【図２】第１実施形態に係る色再現範囲の概略を示す図である。
【図３】第１実施形態に係る照明装置３００の概略構成を示す図である。
【図４】第２実施形態に係る照明装置３００の概略構成を示す図である。
【図５】第３実施形態に係る照明装置３００の概略構成を示す図である。
【図６】第３実施形態に係るバンドパスダイクロイックミラー１４０を説明するための図である。
【図７】第４実施形態に係る照明装置３００の概略構成を示す図である。
【図８】第５実施形態に係る照明装置３００の概略構成を示す図である。
【符号の説明】
【０１２９】
１０Ａ・・・白色光源、１０Ｂ・・・固体光源、２０Ａ・・・クロスダイクロイックキューブ、２０Ｂ・・・ＰＢＳキューブ、２１Ａ・・・ダイクロイック面、２１Ｂ・・・ＰＢＳ面、２２Ａ・・・ダイクロイック面、２８・・・偏光方向調整手段、３０・・・液晶パネル、３１Ｘ・・・光変調素子、３５・・・位置、４０・・・ダイクロイックミラー、５０・・・レンズ、６１〜６３・・・ダイクロイックミラー、７１〜７３・・・反射ミラー、８１・・・導光部材、９０・・・中間結像ユニット、９１〜９５・・・レンズ、１００・・・投写型映像表示装置、１１０・・・投写レンズユニット、１２０Ａ・・・ダイクロイックキューブ、１２０Ｂ・・・クロスダイクロイックキューブ、１２１Ａ・・・ダイクロイック面、１２１Ｂ・・・ＰＢＳ面、１２２Ｂ・・・ダイクロイック面、１４０・・・バンドパスダイクロイックミラー、１６１〜１６３・・・ダイクロイックミラー、１７１〜１７３・・・反射ミラー、２００・・・スクリーン、２２０Ａ・・・ダイクロイックミラー、２２０Ｂ・・・クロスダイクロイックキューブ、２２１Ｂ・・・ＰＢＳ面、２２２Ｂ・・・ダイクロイック面、２７１〜２７４・・・反射ミラー、３００・・・照明装置
【図１】
2008185992.tif 000003
【図２】
2008185992.tif 000004
【図３】
2008185992.tif 000005
【図４】
2008185992.tif 000006
【図５】
2008185992.tif 000007
【図６】
2008185992.tif 000008
【図７】
2008185992.tif 000009
【図８】
2008185992.tif 000010